(57)【要約】【課題】コンテナ本体と嵩上げ枠との間の連結強度を高めることが可能な嵩上げ枠付きコンテナを提供する。【解決手段】本発明では、嵩上げ枠４０をコンテナ本体１０に装着すると、コンテナ本体１０のスライド係合溝２０に、嵩上げ枠４０に備えたＬ字形スライド係合アーム４１がスライド係合する。ここで、Ｌ字形スライド係合アーム４１は、例えば、増肉或いは補強リブの追加により強度アップすることができる。そして、そのように強度アップを図ってＬ字形スライド係合アーム４１が大きくなっても、本発明では、Ｌ字形スライド係合アーム４１をコンテナ本体１０の外面側方に配置したので従来のようにコンテナ本体１０の強度が低下することはなく、コンテナ本体１０と嵩上げ枠４０との間の連結強度を高めることができる。【選択図】図１
2008302937.tif 000002
【特許請求の範囲】
【請求項１】
上面が開放したコンテナ本体の上部に対して、嵩上げ枠を水平にスライドさせて係合することで、前記コンテナ本体の側壁全体を前記嵩上げ枠の側壁にて嵩上げ可能な嵩上げ枠付きコンテナにおいて、
前記嵩上げ枠のうち前記スライド方向と直交する方向で対向した１対の側壁から垂下されかつ下端部が内側に向かって屈曲したＬ字形スライド係合アームと、
前記コンテナ本体のうち前記スライド方向と直交する方向で対向した１対の側壁の外面上縁部に沿って延び、一端部から前記Ｌ字形スライド係合アームの下端突出部分をスライド係合させることが可能なスライド係合溝とを備えたことを特徴とする嵩上げ枠付きコンテナ。
【請求項２】
前記Ｌ字形スライド係合アーム及び前記スライド係合溝は、前記スライド方向に複数設けられ、前記コンテナ本体のうち隣り合った前記スライド係合溝同士の間には、前記Ｌ字形スライド係合アームの前記下端突出部分を、上方から受容して前記スライド係合溝の延長線上に配置するための上面突部受容口が形成されたことを特徴とする請求項１に記載の嵩上げ枠付きコンテナ。
【請求項３】
前記嵩上げ枠のうち前記スライド方向で対向した１対の側壁の少なくとも一方から垂下されかつ下端部が前記スライド方向に向かって屈曲したＬ字形凹凸係合アームと、
前記コンテナ本体のうち前記スライド方向で対向した１対の側壁の少なくとも一方に形成され、前記嵩上げ枠が前記コンテナ本体の正規の装着位置に装着されたときに、前記Ｌ字形凹凸係合アームの下端突出部分が凹凸係合する係合凹部とを備えたことを特徴とする請求項１又は２に記載の嵩上げ枠付きコンテナ。
【請求項４】
前記嵩上げ枠のうち前記スライド方向と直交する方向で対向した１対の側壁から垂下され、前記Ｌ字形スライド係合アームとの間で前記コンテナ本体の側壁を挟んだ状態で前記コンテナ本体の内面に沿ってスライドする内側ガイドが備えられたことを特徴とする請求項１乃至３の何れかに記載の嵩上げ枠付きコンテナ。
【請求項５】
前記コンテナ本体の上面に形成された上面孔と、
前記嵩上げ枠に上下動可能に取り付けられ、前記上面孔に係合した係合位置と、前記上面孔から離脱した係合解除位置との間で移動するクリップと、
前記クリップが前記係合位置と前記係合解除位置との間を移動する途中で弾性変形する弾性部材とを備えたことを特徴とする請求項１乃至４の何れかに記載の嵩上げ枠付きコンテナ。
【請求項６】
前記嵩上げ枠の上面に複数陥没形成されて、前記嵩上げ枠同士を複数積み上げた際に、上側の前記嵩上げ枠の下面から突出した前記Ｌ字形スライド係合アームその他の下面突出部分を受容し、上下の前記嵩上げ枠同士の横ずれを規制する横ずれ防止凹部が備えられたことを特徴とする請求項１乃至５の何れかに記載の嵩上げ枠付きコンテナ。
【発明の詳細な説明】
【技術分野】
【０００１】
本発明は、コンテナ本体の上部に嵩上げ枠を着脱することで荷物を収容可能な容量を変更可能とした嵩上げ枠付きコンテナに関する。
【背景技術】
【０００２】
図１６に示した従来の嵩上げ枠付きコンテナは、コンテナ本体１の上端フランジ壁１Ｆに複数の係止長孔２が形成され、嵩上げ枠３の下面から複数のＬ字形係合アーム４が突出した構造になっていた。また、各係止長孔２は幅広部２Ａと幅狭部２Ｂと長手方向に連ねた構造をなし、Ｌ字形係合アーム４の下辺部４Ａ（図１７参照）を係止長孔２の幅広部２Ａに通して上端フランジ壁１Ｆの下方に配置してから幅狭部２Ｂ側にスライドさせることで、嵩上げ枠３とコンテナ本体１とが連結するようになっていた（例えば、特許文献１参照）。
【特許文献１】実公昭５５−３８８３７号公報（第１図、第３図）
【発明の開示】
【発明が解決しようとする課題】
【０００３】
しかしながら、上記した従来の嵩上げ枠付きコンテナの構造では、荷物を収容した状態で嵩上げ枠３を把持して持ち上げたときに、Ｌ字形係合アーム４の下辺部４Ａと縦向き辺部４Ｂ（図１７参照）との間の角度が広がるように変形し、嵩上げ枠３がコンテナ本体１に対してがたつく事態が生じ得た。これに対し、強度アップのためにＬ字形係合アーム４を大きくすると、その分、係止長孔２の開口面積が広くなり、上端フランジ壁１Ｆの強度が低下して、結局、コンテナ本体１と嵩上げ枠３との間の連結強度を高めることができなかった。
【０００４】
本発明は、上記事情に鑑みてなされたもので、コンテナ本体と嵩上げ枠との間の連結強度を高めることが可能な嵩上げ枠付きコンテナの提供を目的とする。
【課題を解決するための手段】
【０００５】
上記目的を達成するためになされた請求項１の発明に係る嵩上げ枠付きコンテナは、上面が開放したコンテナ本体の上部に対して、嵩上げ枠を水平にスライドさせて係合することで、コンテナ本体の側壁全体を嵩上げ枠の側壁にて嵩上げ可能な嵩上げ枠付きコンテナにおいて、嵩上げ枠のうちスライド方向と直交する方向で対向した１対の側壁から垂下されかつ下端部が内側に向かって屈曲したＬ字形スライド係合アームと、コンテナ本体のうちスライド方向と直交する方向で対向した１対の側壁の外面上縁部に沿って延び、一端部からＬ字形スライド係合アームの下端突出部分をスライド係合させることが可能なスライド係合溝とを備えたところに特徴を有する。
【０００６】
請求項２の発明は、請求項１に記載の嵩上げ枠付きコンテナにおいて、Ｌ字形スライド係合アーム及びスライド係合溝は、スライド方向に複数設けられ、コンテナ本体のうち隣り合ったスライド係合溝同士の間には、Ｌ字形スライド係合アームの下端突出部分を、上方から受容してスライド係合溝の延長線上に配置するための上面突部受容口が形成されたところに特徴を有する。
【０００７】
請求項３の発明は、請求項１又は２に記載の嵩上げ枠付きコンテナにおいて、嵩上げ枠のうちスライド方向で対向した１対の側壁の少なくとも一方から垂下されかつ下端部がスライド方向に向かって屈曲したＬ字形凹凸係合アームと、コンテナ本体のうちスライド方向で対向した１対の側壁の少なくとも一方に形成され、嵩上げ枠がコンテナ本体の正規の装着位置に装着されたときに、Ｌ字形凹凸係合アームの下端突出部分が凹凸係合する係合凹部とを備えたところに特徴を有する。
【０００８】
請求項４の発明は、請求項１乃至３の何れかに記載の嵩上げ枠付きコンテナにおいて、嵩上げ枠のうちスライド方向と直交する方向で対向した１対の側壁から垂下され、Ｌ字形スライド係合アームとの間でコンテナ本体の側壁を挟んだ状態でコンテナ本体の内面に沿ってスライドする内側ガイドが備えられたところに特徴を有する。
【０００９】
請求項５の発明は、請求項１乃至４の何れかに記載の嵩上げ枠付きコンテナにおいて、コンテナ本体の上面に形成された上面孔と、嵩上げ枠に上下動可能に取り付けられ、上面孔に係合した係合位置と、上面孔から離脱した係合解除位置との間で移動するクリップと、クリップが係合位置と係合解除位置との間を移動する途中で弾性変形する弾性部材とを備えたところに特徴を有する。
【００１０】
請求項６の発明は、請求項１乃至５の何れかに記載の嵩上げ枠付きコンテナにおいて、嵩上げ枠の上面に複数陥没形成されて、嵩上げ枠同士を複数積み上げた際に、上側の嵩上げ枠の下面から突出したＬ字形スライド係合アームその他の下面突出部分を受容し、上下の嵩上げ枠同士の横ずれを規制する横ずれ防止凹部が備えられたところに特徴を有する。
【発明の効果】
【００１１】
［請求項１の発明］
請求項１の嵩上げ枠付きコンテナでは、嵩上げ枠をコンテナ本体に装着すると、コンテナ本体の外面に形成されたスライド係合溝に、嵩上げ枠に備えたＬ字形スライド係合アームの下端突出部分がスライド係合して嵩上げ枠とコンテナ本体とが上下方向で連結される。ここで、Ｌ字形スライド係合アームを強度アップするためには、そのＬ字形スライド係合アーム全体をスライド方向に大きくするか、増肉或いは補強リブの追加によりＬ字形スライド係合アーム全体を厚くすればよい。そして、何れの方法で強度アップを図っても、本発明の構成では、Ｌ字形スライド係合アームがコンテナ本体の外面側方に配置されているので、Ｌ字形スライド係合アームの大型化によって従来のようにコンテナ本体の強度が低下することはない。これにより、必要に応じてＬ字形スライド係合アームを大きくし、コンテナ本体と嵩上げ枠との間の連結強度を高めることが可能になる。
【００１２】
［請求項２の発明］
請求項２の構成では、Ｌ字形スライド係合アーム及びスライド係合溝をスライド方向に複数設けたので、コンテナ本体と嵩上げ枠との連結が安定しかつ強固になる。また、Ｌ字形スライド係合アームの下端突出部分を隣り合ったスライド係合溝同士の間に上方から受容することができるので、Ｌ字形スライド係合アームがスライド係合溝内にスライド係合してから正規の装着位置に至るまでの間のスライド量を小さくすることができ、嵩上げ枠の装着作業が容易になる。
【００１３】
［請求項３の発明］
請求項３の構成によれば、嵩上げ枠がコンテナ本体の正規の装着位置に配置されると、嵩上げ枠に備えたＬ字形凹凸係合アームの下端突出部分が、コンテナ本体に形成された係合凹部に凹凸係合する。即ち、本発明によれば、Ｌ字形スライド係合アームとＬ字形凹凸係合アームの両方で嵩上げ枠とコンテナ本体とが上下方向で連結され、連結強度が高くなる。
【００１４】
［請求項４の発明］
請求項４の構成によれば、Ｌ字形スライド係合アームの下端突出部分がスライド係合溝にスライド係合したときに、内側ガイドがＬ字形スライド係合アームとの間でコンテナ本体の側壁の上端部を挟んだ状態になるので、Ｌ字形スライド係合アームの下端突出部分とスライド係合溝との係合が安定する。
【００１５】
［請求項５の発明］
請求項５の構成によれば、嵩上げ枠がコンテナ本体の正規の装着位置に装着された状態で、嵩上げ枠に備えたクリップを係合解除位置から係合位置に移動すれば、そのクリップがコンテナ本体の上面孔に係合して嵩上げ枠のスライドが禁止されてコンテナ本体からの離脱が防がれる。
【００１６】
［請求項６の発明］
請求項６の構成によれば、嵩上げ枠同士を複数積み上げた際に、上側の嵩上げ枠の下面から突出したＬ字形スライド係合アームその他の下面突出部分が下側の嵩上げ枠の横ずれ防止凹部に受容されて嵩上げ枠同士の横ずれが防がれる。
【発明を実施するための最良の形態】
【００１７】
以下、本発明の一実施形態を図１〜図１５に基づいて説明する。図１に示すように、本実施形態の嵩上げ枠付きコンテナ９０は、上面が開放した直方体状のコンテナ本体１０と、そのコンテナ本体１０の上面に装着可能な嵩上げ枠４０とからなる。
【００１８】
コンテナ本体１０は、図２に全体が示されており、所謂、折り畳み式コンテナであって、上端部に矩形枠形のコンテナ上部枠１４を備え、そのコンテナ上部枠１４と底壁１３との間に設けた可動側壁１１，１２が折り畳み可能な構造になっている。具体的には、コンテナ上部枠１４の短辺側に配置された１対の可動側壁１２，１２は、上端部がコンテナ上部枠１４に回動可能に連結され、下端部を内側に押し込みながら回動させることができる。一方、コンテナ上部枠１４の長辺側に配置された１対の可動側壁１１，１１は、上下に２分割されかつその分割部分がヒンジ１１Ｈで連結されると共に、上下の両端部が可動側壁１２と底壁１３とに回動可能に連結されている。そして、可動側壁１１は、ヒンジ１１Ｈによる連結部分を内側に押し込みながら２つ折りにすることができる。これらにより、コンテナ本体１０は、底壁１３とコンテナ上部枠１４とを接近させた折り畳み状態（図示せず）にすることができる。
【００１９】
図３にはコンテナ上部枠１４を下方から見た状態が示されている。同図に示すように、コンテナ上部枠１４の長辺を構成する１対の長辺側壁１４Ｂ，１４Ｂと短辺を構成する１対の短辺側壁１４Ａ，１４Ａは、共に外壁１４Ｇと内壁１４Ｎとを内外に対向配置した２重壁構造になっている。そして、それら外壁１４Ｇ及び内壁１４Ｎの上縁部の間が図１に示した上面壁１４Ｔによって連絡されている。また、その上面壁１４Ｔはコンテナ上部枠１４全体で面一水平になっている。
【００２０】
なお、図３に示すように、外壁１４Ｇ及び内壁１４Ｎの間の空間は下方に向かって開放し、外壁１４Ｇと内壁１４Ｎとの対向面は複数の補強壁１４Ｈにて連絡されている。また、外壁１４Ｇは内壁１４Ｎより下方に突出しており、その突出部分の内面には可動側壁１１，１２の回動軸を軸支するための複数の回動支持部１４Ｊが形成されている。
【００２１】
図１に示すように、コンテナ上部枠１４の各長辺側壁１４Ｂにおける外壁１４Ｇ及び内壁１４Ｎは全体が略平板状になっている。そして、一方の長辺側壁１４Ｂの外面には、本発明の「係合凹部」に相当する外面側係合凹部２２が対をなして形成され、他方の長辺側壁１４Ｂの内面には、本発明の「係合凹部」に相当する内面側係合凹部２３が対をなして形成されている。
【００２２】
外面側係合凹部２２は、一方の長辺側壁１４Ｂの２箇所で、上面壁１４Ｔの幅方向の中間位置から外側部分と、外壁１４Ｇの上端部から上下方向の途中位置までを四角形の切除し、残された上面壁１４Ｔの一部に、内壁１４Ｎから突出した天井壁２２Ｂを上下に対向位置してそれら天井壁２２Ｂと上面壁１４Ｔとの間を複数の縦リブ２２Ａで連絡した構造になっている。また、内面側係合凹部２３は、他方の長辺側壁１４Ｂの内側に配置された点を除き、外面側係合凹部２２と同様の構造になっている。即ち、内面側係合凹部２３の上部にも天井壁２３Ｂ、複数の縦リブ２３Ａ等が備えられている。
【００２３】
コンテナ上部枠１４のうち外面側係合凹部２２を備えた一方の長辺側壁１４Ｂには、その長手方向の両端部に１対の上面孔４９，４９が形成されている。上面孔４９は、コンテナ上部枠１４の上面壁１４Ｔの一部をスリット状に切除してなる。
【００２４】
コンテナ上部枠１４のうち各短辺側壁１４Ａの外面には、その一端部から他端部寄り位置に亘って枠連結部１５が形成されている。枠連結部１５は、短辺側壁１４Ａの外壁１４Ｇのうち上側部分を段付き状に陥没させてなる。そして、枠連結部１５の上縁部から側方に向けて１対の溝構成壁１６，１６が突出形成されている。
【００２５】
詳細には、図４に示すように、溝構成壁１６は、短辺側壁１４Ａの上面壁１４Ｔとその下方に対向配置された補強突壁１６Ｂとの間を複数の縦リブ１６Ｃで連絡してなる。なお、溝構成壁１６の先端面は、短辺側壁１４Ａの外面全体より若干内側に引っ込んでいる。また、一方の溝構成壁１６は、短辺側壁１４Ａの一端部から中間位置に亘って延び、その延長線上に他方の溝構成壁１６が配置されて短辺側壁１４Ａの中間位置から他端寄り位置に亘って延びている。そして、それら溝構成壁１６，１６と枠連結部１５の下部の段差面１４Ｄとの間が、本発明に係るスライド係合溝２０，２０になっている。
【００２６】
上記した一方の溝構成壁１６と段差面１４Ｄとの間に形成された一方のスライド係合溝２０（以下、適宜「第１のスライド係合溝２０」という）の一端部は、コンテナ上部枠１４の角部で開放している。また、第１のスライド係合溝２０の他端部は終端リブ１７によって閉塞されている。終端リブ１７は、溝構成壁１６と枠連結部１５の下側の段差面１４Ｄとの間を連絡して溝構成壁１６を補強する役割も兼ねている。
【００２７】
第１のスライド係合溝２０の奥部には、クリアランス除去突部１８が形成されている。そのクリアランス除去突部１８は、溝構成壁１６の一部を下方に増肉してなる。また、クリアランス除去突部１８のうち終端リブ１７から離れた側の端部は、溝構成壁１６全体の下面から徐々に立ち上がった傾斜面になっている。
【００２８】
他方のスライド係合溝２０（以下、適宜「第２のスライド係合溝２０」という）の一端部は、終端リブ１７との間の突部受容空間に向かって開放されている。その突部受容空間は、溝構成壁１６，１６の間の上面突部受容口１６Ａを通して上方に開放されている。また、第２のスライド係合溝２０の他端部は、枠連結部１５の長手方向の一端に備えた端部壁１５Ｔによって閉塞されている。そして、第２のスライド係合溝２０の終端部にも第１のスライド係合溝２０と同様にクリアランス除去突部１８が形成されている。
【００２９】
図１に示すように、コンテナ上部枠１４の各短辺側壁１４Ａにおける内面の上縁部には、内面ガイド溝１９が形成されている。内面ガイド溝１９は、短辺側壁１４Ａにおける内壁１４Ｎの上縁部を陥没させてなり、短辺側壁１４Ａの内側と上側とに開放している。
【００３０】
図２に示すように、嵩上げ枠４０は、コンテナ上部枠１４と略同一の平面形状をなしている。また、嵩上げ枠４０のうち短辺を構成する１対の短辺側壁４０Ａ，４０Ａ及び長辺を構成する１対の長辺側壁４０Ｂ，４０Ｂは、それぞれコンテナ上部枠１４の短辺側壁１４Ａ及び長辺側壁１４Ｂと略同じ厚さになっている。さらに、各短辺側壁４０Ａ及び各長辺側壁４０Ｂの上部全体に上面壁４０Ｔが備えられている。
【００３１】
図３に示すように、嵩上げ壁４０の内側全体には、コンテナ上部枠１４の内壁１４Ｎ上に載置される内壁４０Ｎが備えられている。また、嵩上げ枠４０の長辺側壁４０Ｂには、コンテナ上部枠１４の外壁１４Ｇ上に載置される外壁４０Ｇが備えられ、コンテナ上部枠１４と同様の２重壁構造になっている。さらに、外壁４０Ｇは、各長辺側壁４０Ｂの長手方向の２箇所で分断され、それら分断部分には、縦横に交差したリブからなる格子壁４０Ｃが備えられている。
【００３２】
なお、長辺側壁４０Ｂの外壁４０Ｇは、内壁４０Ｎより若干低くなっており、外壁４０Ｇと内壁４０Ｎとの間の空間は下方側は開放し、上方側は図１に示した中間壁４０Ｄによって閉塞されている。また、図３に示すように、格子壁４０Ｃの下端部には、嵩上げ枠４０全体の下面と面一になった下面壁４０Ｋが備えられている。
【００３３】
図１に示すように、嵩上げ枠４０における一方の長辺側壁４０Ｂには、前記した１対の外面側係合凹部２２，２２に対応して１対の第１Ｌ字形凹凸係合アーム４２，４２が形成され、他方の長辺側壁４０Ｂには、前記した１対の内面側係合凹部２３，２３に対応して１対の第２Ｌ字形凹凸係合アーム４３，４３が形成されている。
【００３４】
各第１Ｌ字形凹凸係合アーム４２は、一方の長辺側壁４０Ｂにおける格子壁４０Ｃの下面壁４０Ｋから垂下され、下端部が嵩上げ枠４０の内側に屈曲したＬ字形状になっている。詳細には、図７に示すように、第１Ｌ字形凹凸係合アーム４２のうち下面壁４０Ｋから垂下した下方突壁４２Ｂは、外面側係合凹部２２と略同一幅をなしかつ、下面壁４０Ｋにおける外縁寄り位置に配置されている。また、下方突壁４２Ｂの外面には補強リブ４２Ｌが形成されている。さらに、下方突壁４２Ｂの下端寄り位置からは、突部構成壁４２Ｃが水平方向に突出し、その先端が下方に屈曲されて先端面が下方を向き、下方突壁４２Ｂの下面と面一になっている。そして、図８に示すように、下方突壁４２Ｂの幅方向の両端部及び中央で下方突壁４２Ｂと突部構成壁４２Ｃとの間が補強壁４２Ｈにて連絡されて、第１Ｌ字形凹凸係合アーム４２における下端突出部４２Ａが構成されている。
【００３５】
図１に示すように、第２Ｌ字形凹凸係合アーム４３は、下端部が嵩上げ枠４０の外側に屈曲している点が第１Ｌ字形凹凸係合アーム４２と大きく異なる。また、図９に示すように、第２Ｌ字形凹凸係合アーム４３の下方突壁４３Ｂは、下面壁４０Ｋの内縁寄りに配置されている点も第１Ｌ字形凹凸係合アーム４２と異なる。それ以外の構造は第１Ｌ字形凹凸係合アーム４２と同一になっている。
【００３６】
図５に示すように、嵩上げ枠４０のうち第１Ｌ字形凹凸係合アーム４２，４２を有した一方の長辺側壁４０Ｂにおける両端部には、１対のクリップ収容部６０，６０が形成され、そこにクリップ５０がそれぞれ収容されている。図４に示すように、クリップ収容部６０は、長辺側壁４０Ｂの外壁４０Ｇの一部を縦長に切除してその両側部に１対の縦リブ６０Ａ，６０Ａを設け、それら１対の縦リブ６０Ａ，６０Ａの対向面間の下端部分に前面壁６０Ｆを差し渡してなる。また、１対の縦リブ６０Ａ，６０Ａの対向面のうち上下方向の中間位置には、前面壁６０Ｆより内側に待受突起６１，６１（図１０（Ａ）参照）が突出形成されている。
【００３７】
一方、クリップ５０は、全体が図１０（Ａ）及び図１０（Ｂ）に示されており、１対の縦リブ６０Ａ，６０Ａの対向面間と略同一幅の直動主部５４を備えている。その直動主部５４の幅方向中央からは、幅狭の延長壁５６が上方に延び、その上端部に操作部５７が一体形成されている。操作部５７における幅方向の両端部には延長壁５６と平行になって下方に延びた１対の弾性アーム５１，５１が備えられ、各弾性アーム５１の中間部及び基端部から側方に向けて中間係止突起５２と基端係止突壁５３とが突出形成されている。また、直動主部５４の下面には、下方に向けて突片状の係合片５５が突出形成されている。
【００３８】
クリップ５０は、通常は、図１０（Ａ）に示すように、直動主部５４と中間係止突起５２との間にクリップ収容部６０の待受突起６１を係止した係合解除位置に配置され、係合片５５の下端部までがクリップ収容部６０内に収容されている。そして、クリップ５０を下方に押し下げると、弾性アーム５１の弾性変形を乗り越えて下方に係合位置に移動し、図１０（Ｂ）に示すように、中間係止突起５２と基端係止突壁５３との間に待受突起６１が係止すると共に、係合片５５が嵩上げ枠４０の下面から突出する。
【００３９】
図４に示すように、嵩上げ枠４０の短辺側壁４０Ａは、その長手方向における中間部の下端寄り位置に外壁４０Ｇを備え、その外壁４０Ｇを両側及び上側から囲む位置に格子壁４０Ｃが形成されている。なお、短辺側壁４０Ａにおける外壁４０Ｇと内壁４０Ｎとの間の空間は下側が開放し、上側が中間壁４０Ｄにて閉塞されている。また、短辺側壁４０Ａにおける格子壁４０Ｃの下端部には、前記した長辺側壁４０Ｂの格子壁４０Ｃと同様に嵩上げ枠４０全体の下面と面一になった下面壁４０Ｋが備えられている。
【００４０】
さて、嵩上げ枠４０の各短辺側壁４０Ａには、１対ずつのＬ字形スライド係合アーム４１，４１が形成されている。Ｌ字形スライド係合アーム４１は、短辺側壁４０Ａの両端寄り位置に配置されて下面壁４０Ｋから垂下され、下端部が嵩上げ枠４０の内側に向かって屈曲し、第１Ｌ字形凹凸係合アーム４２と同様のＬ字形構造になっている。即ち、図１３に示すように、Ｌ字形スライド係合アーム４１のうち下面壁４０Ｋから垂下した下方突壁４１Ｂは、その下面壁４０Ｋにおける外縁寄り位置に配置され、下方突壁４１Ｂの外面には補強リブ４１Ｌが形成されている。また、下方突壁４１Ｂの下端寄り位置からは、突部構成壁４１Ｃが水平方向に突出し、その先端が下方に屈曲されている。また、下方突壁４１Ｂの幅方向の両端部及び中央で下方突壁４１Ｂと突部構成壁４１Ｃとの間が補強壁４１Ｈにて連絡されて、Ｌ字形スライド係合アーム４１における下端突出部４１Ａが構成されている。
【００４１】
図３に示すように、嵩上げ枠４０の各短辺側壁４０Ａには、長手方向の中間部に内側ガイド４４が形成されている。内側ガイド４４は、短辺側壁４０Ａにおける内壁４０Ｎの下縁部から垂下した突片構造をなしている。そして、嵩上げ枠４０をコンテナ上部枠１４に重ねたときに、コンテナ上部枠１４の内面ガイド溝１９に内側ガイド４４が係合する。
【００４２】
図４に示すように、嵩上げ枠４０の各短辺側壁４０Ａにおける上面には、各Ｌ字形スライド係合アーム４１の上方位置に短辺側横ずれ防止凹部４５が形成されている。短辺側横ずれ防止凹部４５は、嵩上げ枠４０の上面壁４０Ｔの外縁寄り位置を切除しかつその上面壁４０Ｔに接続されていた格子壁４０Ｃにおける複数の縦リブの上端部を面一水平に切除してなる。また、図１に示すように、嵩上げ枠４０の各長辺側壁４０Ｂにおける上面には、第１及び第２のＬ字形凹凸係合アーム４２，４３の上方位置に長辺側横ずれ防止凹部４６が形成されている。長辺側横ずれ防止凹部４６は、長辺側壁４０Ｂにおける上面壁４０Ｔを段付き状に陥没させた構造になっている。そして、図１５に示すように、嵩上げ枠４０を複数積み上げた際に、上側の嵩上げ枠４０の各Ｌ字形スライド係合アーム４１が下側の嵩上げ枠４０の短辺側横ずれ防止凹部４５に受容され、上側の嵩上げ枠４０の第１Ｌ字形凹凸係合アーム４２及び第２Ｌ字形凹凸係合アーム４３が下側の嵩上げ枠４０の長辺側横ずれ防止凹部４６に受容される。
【００４３】
本実施形態の嵩上げ枠付きコンテナ９０の構成に関する説明は以上である。次に、この実施形態の作用効果について説明する。嵩上げ枠付きコンテナ９０に比較的小さい荷物を収容する場合には、コンテナ本体１０から嵩上げ枠４０を外した状態で使用すればよい。この場合、使用しない嵩上げ枠４０は、図１５に示すように複数積み上げておけばよい。
【００４４】
嵩上げ枠付きコンテナ９０に比較的大きな荷物を収容する場合に、嵩上げ枠４０をコンテナ本体１０に装着する。そのためには、図４に示すように、嵩上げ枠４０の各短辺側壁４０Ａに備えた１対のＬ字形スライド係合アーム４１，４１のうち一方のＬ字形スライド係合アーム４１をコンテナ本体１０（詳細には、コンテナ上部枠１４）の上面突部受容口１６Ａの上方に配置すると共に、嵩上げ枠４０のうち第１Ｌ字形凹凸係合アーム４２，４２を有した一方の長辺側壁４０Ｂがコンテナ本体１０の上方から側方にずらした位置に配置して、嵩上げ枠４０をコンテナ本体１０に向けて降下させる。
【００４５】
すると、嵩上げ枠４０の各短辺側壁４０Ａにおける一方のＬ字形スライド係合アーム４１の下端突出部４１Ａが上面突部受容口１６Ａを通って第２のスライド係合溝２０の延長線上前方に配置され、他方のＬ字形スライド係合アーム４１の下端突出部４１Ａが第１のスライド係合溝２０の延長線上前方に配置される（図５参照）。そして、図５に示すように、嵩上げ枠４０の下面がコンテナ本体１０の上面に当接し、嵩上げ枠４０の各短辺側壁４０Ａに備えた内側ガイド４４が、Ｌ字形スライド係合アーム４１との間にコンテナ本体１０の内面ガイド溝１９に収まる。また、嵩上げ枠４０の第２Ｌ字形凹凸係合アーム４３，４３が、コンテナ本体１０の上面開口内に突入してコンテナ本体１０の内面側係合凹部２３，２３（図１参照）に対向配置される。
【００４６】
この状態で、嵩上げ枠４０を水平方向にスライドさせて、嵩上げ枠４０の各短辺側壁４０Ａ及び長辺側壁４０Ｂがコンテナ本体１０の短辺側壁１４Ａ及び長辺側壁１４Ｂの上方に重ねられる正規の装着位置まで移動する。すると、その途中で各Ｌ字形スライド係合アーム４１の下端突出部４１Ａが各スライド係合溝２０に進入してスライド係合する。詳細には、上面突部受容口１６Ａを通過したＬ字形スライド係合アーム４１の下端突出部４１Ａが先に第２のスライド係合溝２０に進入して嵩上げ枠４０とコンテナ本体１０とが可動方向が定まり、その後、他方のＬ字形スライド係合アーム４１の下端突出部４１Ａが第１のスライド係合溝２０に進入する。
【００４７】
嵩上げ枠４０が正規の装着位置に接近すると、各Ｌ字形スライド係合アーム４１の下端突出部４１Ａが各スライド係合溝２０の奥側に備えたクリアランス除去突部１８の下方に入り込むことで、嵩上げ枠４０の下面がコンテナ本体１０の上面に確実に密着する。そして、各下端突出部４１Ａが各スライド係合溝２０の奥部（終端リブ１７又は枠連結部１５の端部壁１５Ｔ）に当接して嵩上げ枠４０がコンテナ本体１０の正規の装着位置に位置決めされる。すると、図６に示すように、嵩上げ枠４０における各第１Ｌ字形凹凸係合アーム４２の下端突出部４２Ａが、コンテナ本体１０の各外面側係合凹部２２に凹凸係合し、嵩上げ枠４０における第２Ｌ字形凹凸係合アーム４３の下端突出部４３Ａがコンテナ本体１０における各内面側係合凹部２３に凹凸係合する。この状態で、クリップ５０を下方に押し下げると、図１１に示すように、クリップ５０の係合片５５がコンテナ本体１０の上面孔４９に係合して嵩上げ枠４０のコンテナ本体１０に対するスライドが禁止される。以上により、嵩上げ枠４０の装着が完了する。
【００４８】
嵩上げ枠４０の装着が完了すると、図１２及び図１４に示すように、各Ｌ字形スライド係合アーム４１の下端突出部４１Ａが各スライド係合溝２０の上側の溝構成壁１６に上下方向において係合し、図７に示すように、各第１Ｌ字形凹凸係合アーム４２の下端突出部４２Ａが各外面側係合凹部２２の天井壁２２Ｂに上下方向において係合し、図９に示すように、各第２Ｌ字形凹凸係合アーム４３の下端突出部４３ＡＡが各内面側係合凹部２３の天井壁２３Ｂに上下方向において係合する。これらにより、嵩上げ枠４０の全ての側壁（短辺側壁４０Ａ、長辺側壁４０Ｂ）がコンテナ本体１０の全ての側壁（短辺側壁１４Ａ、長辺側壁１４Ｂ）と上下方向で強固に連結される。
【００４９】
なお、図６に示すように、Ｌ字形スライド係合アーム４１の下方突壁４１Ｂは、溝構成壁１６の先端面と嵩上げ枠４０の全体の外面との間の段差に収まり、第１Ｌ字形凹凸係合アーム４２の下方突壁４２Ｂは、図７に示すように、外面側係合凹部２２における天井壁２２Ｂの前方の窪みに収まり、これと同様に、第２Ｌ字形凹凸係合アーム４３の下方突壁４３Ｂは、図９に示すように、内面側係合凹部２３における天井壁２３Ｂの前方の窪みに収まる。これらにより、Ｌ字形スライド係合アーム４１等がコンテナ本体１０の内面又は外面から突出することが防がれる。
【００５０】
上記したように本実施形態の嵩上げ枠付きコンテナ９０では、嵩上げ枠４０のＬ字形スライド係合アーム４１が、コンテナ本体１０の外面側方に配置されているので、強度アップのためのＬ字形スライド係合アーム４１の大型化によるコンテナ本体１０の形状への影響を抑えることができる。具体的には、Ｌ字形スライド係合アーム４１を強度アップするためには、そのＬ字形スライド係合アーム４１全体をスライド方向に大きくするか、増肉或いは補強リブの追加によりＬ字形スライド係合アーム４１全体を厚くすればよい。そして、本実施形態では、Ｌ字形スライド係合アーム４１は、補強リブ４１Ｌ及び補強壁４１Ｈ等を一体形成したことで大きくなっているが、そのことにより従来のようにコンテナ本体１０の形状が影響を受けて、コンテナ本体１０の強度が低下することはない。これにより、コンテナ本体１０と嵩上げ枠４０との間の連結強度を高めることが可能になる。
【００５１】
また、本実施形態では、Ｌ字形スライド係合アーム４１及びスライド係合溝２０をスライド方向に複数設けたので、コンテナ本体１０と嵩上げ枠４０との連結が安定しかつ強固になる。しかも、Ｌ字形スライド係合アーム４１の下端突出部４１の下端突出部４１Ａを隣り合ったスライド係合溝２０，２０同士の間に上方から受容することができるので、Ｌ字形スライド係合アーム４１の下端突出部４１Ａがスライド係合溝２０内にスライド係合してから正規の装着位置に至るまでの間のスライド量を小さくすることができ、嵩上げ枠４０の装着作業が容易になる。
【００５２】
また、Ｌ字形スライド係合アーム４１の下端突出部４１Ａがスライド係合溝２０にスライド係合したときに、内側ガイド４４がＬ字形スライド係合アーム４１との間でコンテナ本体１０の側壁（短辺側壁４０Ａ）を挟んだ状態になるので、Ｌ字形スライド係合アーム４１の下端突出部４１Ａとスライド係合溝２０との係合が安定する。
【００５３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５４】
（１）前記実施形態の嵩上げ枠付きコンテナ９０では、嵩上げ枠４０がコンテナ本体１０に対して１つだけ装着される構成であったが、嵩上げ枠の上端部に別の嵩上げ枠を装着可能とし、コンテナ本体に複数の嵩上げ枠を装着可能としてもよい。
【００５５】
（２）また、高さが異なる複数種類の嵩上げ枠を用意しておき、何れかの嵩上げ枠を選択してコンテナ本体に装着してもよい。
【００５６】
（３）また、前記実施形態の嵩上げ枠付きコンテナ９０において、嵩上げ枠４０の挿入方向を容易に判別可能とするために、嵩上げ枠４０及びコンテナ本体１０を縦又は横の中心を境界線にして２色に分けておき、嵩上げ枠４０がコンテナ本体１０に正しく装着されたときに嵩上げ枠の色とコンテナ本体の色とが上下方向で一致するように構成してもよい。
【図面の簡単な説明】
【００５７】
【図１】本発明の一実施形態に係る嵩上げ枠付きコンテナの分解斜視図
【図２】嵩上げ枠付きコンテナの斜視図
【図３】嵩上げ枠付きコンテナを下方から見た分解斜視図
【図４】嵩上げ枠付きコンテナの一部を拡大した分解斜視図
【図５】嵩上げ枠をコンテナ本体に装着する過程の斜視図
【図６】嵩上げ枠をコンテナ本体に装着した状態の斜視図
【図７】第１Ｌ字形凹凸係合アームの斜視図
【図８】第１Ｌ字形凹凸係合アームを下方から見た斜視図
【図９】第２Ｌ字形凹凸係合アームの斜視図
【図１０】クリップ収容部の斜視図
【図１１】クリップ収容部の斜視図
【図１２】Ｌ字形スライド係合アームの一部破断斜視図
【図１３】Ｌ字形スライド係合アームを下方から見た斜視図
【図１４】Ｌ字形スライド係合アームの斜視図
【図１５】嵩上げ枠同士を積み上げた状態の斜視図
【図１６】従来の嵩上げ枠付きコンテナの斜視図
【図１７】従来の嵩上げ枠付きコンテナの断面図
【符号の説明】
【００５８】
１０    コンテナ本体
１１    可動側壁
１４    コンテナ上部枠
１６Ａ  上面突部受容口
１８    クリアランス除去突部
１９    内面ガイド溝
２０    スライド係合溝
２２    外面側係合凹部（係合凹部）
２３    内面側係合凹部（係合凹部）
４０    嵩上げ枠
４１    Ｌ字形スライド係合アーム
４１Ａ    下端突出部
４１Ｈ    補強壁
４１Ｌ    補強リブ
４２    第１Ｌ字形凹凸係合アーム
４２Ａ    下端突出部
４３    第２Ｌ字形凹凸係合アーム
４３Ａ    下端突出部
４４    内側ガイド
４５    短辺側横ずれ防止凹部
４６    長辺側横ずれ防止凹部
４９    上面孔
５０    クリップ
５１    弾性アーム（弾性部材）
９０    嵩上げ枠付きコンテナ
【図１】
2008302937.tif 000003
【図２】
2008302937.tif 000004
【図３】
2008302937.tif 000005
【図４】
2008302937.tif 000006
【図５】
2008302937.tif 000007
【図６】
2008302937.tif 000008
【図７】
2008302937.tif 000009
【図８】
2008302937.tif 000010
【図９】
2008302937.tif 000011
【図１０】
2008302937.tif 000012
【図１１】
2008302937.tif 000013
【図１２】
2008302937.tif 000014
【図１３】
2008302937.tif 000015
【図１４】
2008302937.tif 000016
【図１５】
2008302937.tif 000017
【図１６】
2008302937.tif 000018
【図１７】
2008302937.tif 000019